(57)【要約】【課題】取水施設における取水槽への異物の流入を簡略な構造で防止する。【解決手段】取水対象の水域１に流入管２を介して連通する取水槽３を設け、その取水槽３から取水装置４により取水する構成の取水施設において、水域１から流入管２を通して取水槽３内に流入する水中に含まれる異物５を捕捉し得る籠状のストレーナ８Ａ，８Ｂを取水槽３内において昇降可能に設けて、そのストレーナ８Ａ，８Ｂを取水槽３上に引き上げて捕捉物を排除可能とする。流入管２を複数設け、各流入管２Ａ，２Ｂのそれぞれに弁６Ａ，６Ｂを設ける。【選択図】      図１
2004218376.tif 000002
【特許請求の範囲】
【請求項１】
取水対象の水域に流入管を介して連通する取水槽を設け、その取水槽から取水装置により取水する構成の取水施設において、水域から流入管を通して取水槽内に流入する水中に含まれる異物を捕捉し得る籠状のストレーナを取水槽内において昇降可能に設けて、そのストレーナを取水槽上に引き上げて捕捉物を排除可能に構成したことを特徴とする取水施設。
【請求項２】
流入管を複数設け、各流入管のそれぞれに弁を設けたことを特徴とする請求項１記載の取水施設。
【発明の詳細な説明】
【０００１】
【発明の属する技術分野】
本発明は、海水や河川水、湖沼水等を取水するための取水施設に関する。
【０００２】
【従来の技術】
この種の取水施設として図３に示すような自然流入式の取水槽によるものがある。これは、取水対象の水域１と流入管２を介して連通する取水槽３を設け、その取水槽３から取水装置４によって取水を行う構成のものである。取水装置４としては取水槽３内に設置される水中ポンプや、陸上に設置した揚水ポンプにより吸い込み管を通して吸い上げるもの等が一般に採用されている。
【０００３】
ところで、このような構造の取水施設では、図示しているように水域１から流入管２を通して魚や小動物、水草（海草）、各種プランクトン等の異物５が取水槽３内に入り込むことがある。そのような異物５を放置すると取水装置４である水中ポンプやフート弁に取り付けられているストレーナ６が目詰まりを起こして取水の支障となる場合があるので、従来においては定期的に取水槽３内を清掃して異物５を除去する作業を必要としており、そのたびに取水を停止しなければならないという不都合があった。
【０００４】
そのため、異物が取水槽内に入り込むことを防止するために、たとえば特許文献１に示されるような除塵機用バスケットを備えるトラベリングスクリーンを採用したり、あるいは特許文献２に示されるような制魚装置を採用することも検討されている。
【０００５】
【特許文献１】
特開平１０−６８１１５号公報
【特許文献２】
特開２０００−３１２５４３号公報
【０００６】
【発明が解決しようとする課題】
しかし、特許文献１に示されるようなトラベリングスクリーンや、特許文献２に示されるような制魚装置は、いずれもこの種の自然流入式の取水施設に適用するには構成が複雑に過ぎてかなりの設備費と保守費を必要とするので、必ずしも好適に適用し得るものではなく、より簡略な構造で異物を排除することのできる有効な手法の開発が望まれていた。
【０００７】
【課題を解決するための手段】
上記事情に鑑み、請求項１の発明は、取水対象の水域に流入管を介して連通する取水槽を設け、その取水槽から取水装置により取水する構成の取水施設において、水域から流入管を通して取水槽内に流入する水中に含まれる異物を捕捉し得る籠状のストレーナを取水槽内において昇降可能に設けて、そのストレーナを取水槽上に引き上げて捕捉物を排除可能に構成したことを特徴とする。
【０００８】
請求項２の発明は、請求項１の発明の取水施設において、流入管を複数設け、各流入管のそれぞれに弁を設けたことを特徴とする。
【０００９】
【発明の実施の形態】
図１および図２は本発明の実施形態である取水施設の概要を示すものである。これは、図３に示した従来の取水施設と同様に、取水対象の水域１と取水槽３とを流入管２により連通させ、水域１から流入管２を通して取水槽３に自然流入させた水を取水装置４により取水することを基本とするものである。
【００１０】
図３に示した従来の取水施設では流入管２が単一であったが、本実施形態の取水施設では流入管２が途中で２本の流入管２Ａ，２Ｂに分岐されて各流入管２Ａ，２Ｂにそれぞれ弁６Ａ，６Ｂが設けられ、それらの弁６Ａ，６Ｂは取水槽３の上部からハンドル７の操作で独立に開閉できるものとされている。
【００１１】
そして、取水槽３内には、各流入管２Ａ，２Ｂが接続されている位置すなわち水域１からの流入口の位置に籠状のストレーナ８Ａ，８Ｂがそれぞれ取り付けられているとともに、それらのストレーナ８Ａ，８Ｂは昇降機構９の操作によりガイドレール１０に案内されて独立に昇降可能とされている。これらのストレーナ８Ａ，８Ｂは各流入管２Ａ，２Ｂを通過して取水槽３内に入り込んでくると想定される小魚や水草あるいはプランクトン等の異物５を捕捉するためのもので、その目開きは流入してくると想定される異物５の大きさに応じて適宜設定されている。昇降機構９としては、たとえばチェーンをストレーナ８Ａ，８Ｂに連結してスプロケット間に巻回し、そのチェーンを電動ないし手動により循環駆動することでストレーナ８Ａ，８Ｂを昇降させる形式のものや、ストレーナ８Ａ，８Ｂに連結したワイヤーをドラムにより巻き取り繰り出すことでそれらを昇降させる形式のもの等、適宜の構造のものを任意に採用可能である。
【００１２】
本実施形態の取水装置は、通常時は弁６Ａ，６Ｂのいずれか一方を開き他方を閉じて流入管２Ａ，２Ｂのいずれか一方のみから取水を行う。たとえば、図１に示すように弁６Ａを開き弁６Ｂを閉じて流入管２Ａからの取水を行うこととして、水域１から流入管２Ａ、ストレーナ８Ａを通して取水槽３に自然流入させ、取水装置４により取水する。その際、水域１から流入管２Ａに異物が入り込んできたとしても、それはストレーナ８Ａに捕捉されてしまうので取水槽３の内部までには入り込むことがなく、したがって従来のように取水装置４のストレーナ６が目詰まりを起こして取水に支障を来すようなことを未然に回避することができる。
【００１３】
上記のようにして取水を行う間に、ストレーナ８Ａに多量の異物が捕捉されてそこでの通水障害が懸念されるような事態となったら、他方の流入管２Ｂからの取水に切り換える。すなわち、図１の状態から図２に示すように弁６Ａを閉じて弁６Ｂを開くことにより、今度は流入管２Ｂ、ストレーナ８Ｂを通して取水槽３に流入させ、そのまま取水装置４により取水を継続する。そして、その間に、昇降機構９を操作してストレーナ８Ａをガイドレール１０により案内しつつ取水槽３の上部まで引き上げ、そこで捕捉物を取り出して内部の清掃を行い、清掃作業の終了後に取水槽３内に降ろして元に戻す。
【００１４】
以上のように、本実施形態の取水施設は異物５による取水障害を確実に防止できるばかりでなく、取水を停止することなくストレーナ８Ａ，８Ｂの清掃を取水槽３外において極めて簡便に行うことができる。また、単なる籠状のストレーナ８Ａ，８Ｂを昇降機構９により昇降可能に設けただけの簡便な構造であるから、従来の大がかりなトラベリングスクリーンや特殊な制魚装置を用いる場合に比較すれば設備費、保守費は些少で済み、比較的小規模の簡易な自然流入式の取水施設として極めて有効である。
【００１５】
なお、上記実施形態では流入管２を２本の流入管２Ａ，２Ｂに分岐して各流入管２Ａ，２Ｂに備えた弁６Ａ，６Ｂの開閉によりそれらを切り換えるように構成したが、ストレーナ８Ａ，８Ｂの清掃時に取水の停止が許されるような場合には、従来と同様に単一の流入管２を備えることで充分である。勿論、必要であれば流入管および籠状のストレーナをより多数設けても良いことは言うまでもない。
【００１６】
【発明の効果】
請求項１の発明は、取水対象の水域から流入する水中の異物を捕捉し得る籠状のストレーナを取水槽内において昇降可能に設けたので、異物による取水障害を確実に防止できることはもとより、ストレーナの清掃を取水槽外において極めて簡便に行うことができ、しかも構造が極めて簡単であって設備費、保守費が些少で済み、自然流入式の取水施設として極めて有効である。
【００１７】
請求項２の発明は、複数の流入管を設けて各流入管のそれぞれに弁を設けたので、流入管の切り換え操作により取水を停止することなくストレーナの清掃を行うことが可能である。
【図面の簡単な説明】
【図１】本発明の取水施設の実施形態を示す図である。
【図２】同、捕捉した異物の除去を行っている状態を示す図である。
【図３】従来の取水施設の一例を示す図である。
【符号の説明】
１  取水対象の水域
２，２Ａ，２Ｂ  流入管
３  取水槽
４  取水装置
５  異物
６Ａ，６Ｂ  弁
７  ハンドル
８Ａ，８Ｂ  ストレーナ
９  昇降機構
１０  ガイドレール
【図１】
2004218376.tif 000003
【図２】
2004218376.tif 000004
【図３】
2004218376.tif 000005